(57)【要約】      （修正有）【課題】軽く、環境に優しく、リサイクルできるサーフボードを提供する。【解決手段】サーフボード１０は、本体２０および被覆１１を備える。前記本体は多孔性物質で作られており、また前記被覆は、前記本体のすべての周りに張られ、該本体と同一形状に形成されている。前記本体は、ハニカム構造を有する多孔性物質で作られているので、前記サーフボードの重さは軽く、前記サーフボードの強度は十分に高い。【選択図】図２
0003118613.tif 000002
【実用新案登録請求の範囲】
【請求項１】
頂面、底面および２つの側面を有し、多孔性物質から成る本体と、該本体のすべての周りに張られ、前記本体と同一形状に形成された被覆とを含むサーフボード。
【請求項２】
前記本体は、紙、プラスチックおよび複合的材料から成る群で作られ、前記被覆は複合材料および樹指から成る群で作られる、請求項１に記載のサーフボード。
【請求項３】
頂面、底面および２つの側面を有する本体と、該本体のすべての周りに張られ、前記本体と同一形状に形成された被覆と、前記本体の前記両側面のそれぞれに設置された２つの肩とを含むサーフボード。
【考案の詳細な説明】
【技術分野】
【０００１】
本考案は、サーフボードに関し、より詳細には、多孔性物質で作られたサーフボードに関する。
【背景技術】
【０００２】
サーフボードは、海上での遊技に使用される。従来のサーフボードは、純粋な複合的材料(genuine complex materials)または従来の純粋な材料で作られて、外面が被覆によって包まれている。従来のサーフボードは、木材などの純粋材料で作られているので、サーフボードは、リサイクルするには、重く、堅い。
【０００３】
従って、軽く、環境に優しく、リサイクルに使用することができるサーフボードへの現実の要求が存在する。
【考案の開示】
【考案が解決しようとする課題】
【０００４】
本考案の主たる目的は、軽く、環境に優しく、リサイクルできるサーフボードを提供することにある。
【課題を解決するための手段】
【０００５】
本考案に係るサーフボードは、本体と、被覆とを備える。前記本体は多孔性物質で作られており、前記被覆は、前記本体のすべての周りに張られ、該本体と同一形状に形成されている。前記多孔性物質は、紙ペレット、プラスチック材料または複合的材料（complex materials）とすることができる。本考案では、前記本体は、ハニカム構造を有する多孔性物質で作られるので、サーフボードの重さは軽く、サーフボードの強さは十分に高い。
【０００６】
本考案の他の目的、利点および新規な特徴は、添付の図面に関する以下の詳細な説明から、より明らかになろう。
【考案を実施するための最良の形態】
【０００７】
図３を参照するに、本考案に係るサーフボード（１０）は、被覆（１１）と、本体（２０）とを備える。
【０００８】
被覆（１１）は、本体（２０）のすべての周りに張られており、本体（２０）と同一形状に形成されている。被覆（１１）は、複合材料（composite material）で作られ、特に、樹脂で作られる。
【０００９】
本体（２０）は、頂面、底面および２つの側面を有する。本体（２０）は多孔性物質で作られている。好適な実施例では、多孔性物質で作られた本体（２０）は、紙、複合的材料（complex material）またはプラスチック材料である。好適な実施例では、紙は紙パレットであり、プラスチック材料は従来の高分子複合体すなわち樹指である。最も好適な実施例では、多孔性物質はハニカム構造を有する。本体（２０）の両側面は、反りを与えられた表面として、直接成形されている。被覆（１１）は、本体（２０）の前記頂面、底面および両側面に張られている。
【００１０】
図４を参照するに、本考案に係る第２の実施例のサーフボード（３０）は、被覆（３１）、本体（３３）および２つの肩（３２）を備える。
【００１１】
被覆（３１）は本体（３３）のすべての周りに張られており、本体（３３）と同一形状に成形されている。被覆（３１）は複合材料(composite material)、特に樹脂で作られている。
【００１２】
本体（３３）は、頂面、底面および２つの側面を有する。本体（３３）は、また、最初の実施例と同様な多孔性物質で作られている。多孔性物質は、ペレット紙、プラスチック材料または複合的材料（complex materials）とすることができる。より好適な実施例では、多孔性物質は紙パレットである。最も好適な実施例では、紙パレットはハニカム構造を有する。被覆（３１）は、本体（３３）の前記頂面、底面および両側面に張られている。 
【００１３】
肩（３２）は、本体（３３）の両側面にそれぞれ設置されている。肩（３２）は、プラスチック材料で作られており、より詳細には、柔らかなプラスチック材料である。
【００１４】
図５を参照するに、本考案に係る第３の実施例のサーフボード（３０′）は、被覆（３１）、本体（４０）および２つの肩（３２）を有する。
【００１５】
被覆（３１）は、本体（４０）のすべての周りに張られており、本体（４０）と同一の形状に成形されている。被覆（３１）は複合材料（composite material）で作られており、特に、樹指で作られる。
【００１６】
本体（４０）は、頂面、底面および２つ側面を有する。本体（４０）は、木材のような前記従来のサーフボードの本体と同様な材料で形成することができる。被覆（３１）は、また、本体（４０）の前記頂面、底面および両側面に張られている。
【００１７】
肩（３２）は、本体（４０）の前記両側面にそれぞれ設置されており、前記した肩（３２）と同様である。
【００１８】
本考案に係るサーフボード（１０、３０）の利点は次に述べる通りである。
【００１９】
１．本体（２０、３３）は多孔性物質で作られるので、特に、ハニカム構造を有する紙パレットで作られたものでは、サーフボード（１０、３０）の重さが従来のものより軽く、従来のものに比較して運搬が容易である。
【００２０】
２．サーフボード（１０、３３）内に成形されたハニカム構造は、使用に対する強い構造を提供し、容易に破損しないであろう。
【００２１】
３．紙で作られた本体（２０、３３）は、リサイクルに使用することができ、環境に優しく、したがって、処分されたサーフボード（１０、３０）は環境を汚染しないであろう。
【００２２】
４．本考案の第２および第３の実施例のサーフボード（３０、３０′）は、プラスチック材料などの柔らかい材料で作られた２つの肩（３２）を有し、この柔らかな肩（３２）は、サーフボードが他のサーフボードと衝突する時に、容易に他方を傷つけないであろう。
【００２３】
本考案の多数の特徴および利点が、本考案の構成の詳細および作用と共に前述されたが、その開示は実例を示すために過ぎない。添付の請求項で表現された広い一般的な意味によって示された完全な範囲で、本考案の原理内での細部における変更、特に、形、寸法および部分の配置について変更は可能である。
【図面の簡単な説明】
【００２４】
【図１】本考案に係る第１の実施例のサーフボードの斜視図である。
【図２】図１に示されたサーフボードの一部を破断して示す拡大斜視図である。
【図３】図１に示されたサーフボードの横断面図である。
【図４】本考案に係るサーフボードの第２の実施例の横断面である。
【図５】本発明に係るサーフボードの第３の実施例の横断面図である。
【符号の説明】
【００２５】
１０、３０、３０′  サーフボード
１１、３１  被覆
２０、３３、４０  本体
３２  肩
【図１】
0003118613.tif 000003
【図２】
0003118613.tif 000004
【図３】
0003118613.tif 000005
【図４】
0003118613.tif 000006
【図５】
0003118613.tif 000007